(57)【要約】【課題】ダンパオイルに混入された空気を除去し、指針の精度を向上させる。【解決手段】可動磁石式計器１は、ハウジング１０の底面１２ｃと、当該底面１２ｃと対向する磁石２０の他方の下面２０ｂとの間に介在するダンパオイル４０を備え、ハウジング１０の底面１２ｃには、回転軸３０の近傍から、当該回転軸３０から離れる方向に向けて磁石の径方向から見た断面の断面積が小さくなる溝１５が形成されている。したがって、ダンパオイル４０に混入した気泡を、回転軸３０に向けて移動させることができる。【選択図】図１
2017044632.tif 000002
【特許請求の範囲】
【請求項１】
円柱状の磁石と、
前記磁石に同軸に取り付けられ、前記磁石の両端面から突出する回転軸と、
前記磁石の一方の端面から突出する前記回転軸に取り付けられる指針と、
前記磁石を収容する空間を有し、当該空間に収容された前記磁石の他方の端面と対向する底面と、当該底面に設けられ前記回転軸を支持する支持部と、を備えるハウジングと、
前記ハウジングに巻回され、磁束を発生して前記磁石とともに前記回転軸を回転させるコイルと、
前記ハウジングの底面と、当該底面と対向する前記磁石の他方の端面との間に介在するダンパオイルと、を備え、
前記ハウジングの底面及び前記磁石の他方の端面の少なくともいずれか一方には、前記回転軸の近傍から、当該回転軸から離れる方向に向けて、前記磁石の径方向から見た断面積が小さくなる溝が形成されている、
ことを特徴とする可動磁石式計器。
【請求項２】
前記溝は、前記回転軸の近傍から、当該回転軸から離れる方向に向けて前記磁石の周方向に沿う幅が狭くなるように形成されている、
ことを特徴とする請求項１に記載の可動磁石式計器。
【請求項３】
前記溝は、前記回転軸の近傍から、当該回転軸から離れる方向に向けて浅くなるように形成されている、
ことを特徴とする請求項１に記載の可動磁石式計器。
【請求項４】
前記溝は、前記回転軸の近傍から、当該回転軸から離れる方向に向けて放射状に形成されている、
ことを特徴とする請求項１に記載の可動磁石式計器。
【発明の詳細な説明】
【技術分野】
【０００１】
本発明は、可動磁石式計器に関する。
【背景技術】
【０００２】
二輪バイクの燃料残量計などに使用される可動磁石式計器は、内部に磁石を収容するハウジングを備え、このハウジングの底面と磁石との間に粘性のあるダンパオイルが介在することにより、磁石に取り付けられた指針に生じる不必要なふれを抑制している。
【０００３】
このような可動磁石式計器の磁石の組付作業において、磁石をダンパオイルに載置するときに、磁石の底面とダンパオイルとの間に空気が入り込み、ダンパオイル内に気泡が混入することがある。そして、気泡が混入した位置と気泡が混入していない位置とでは、ダンパオイルの粘性が相違することになり、指針の指示特性に悪影響を与えるおそれがあった。例えば、指針を回転させて所定の指示位置を指示させる場合に、指示位置を超えてしまうオーバーシュートが発生することがあった。
【０００４】
上述の不都合を解消するために、例えば、特許文献１に開示された可動磁石式計器のように、磁石の指針軸と平行に貫通する開口孔を磁石に設け、ダンパオイルに混入した気泡を外部に逃がすことが知られている。
【先行技術文献】
【特許文献】
【０００５】
【特許文献１】特開平９−９６６４８号公報
【発明の概要】
【発明が解決しようとする課題】
【０００６】
特許文献１に開示された可動磁石式計器は、磁石の指針軸と平行に貫通する開口孔が、指針軸の近傍に設けられているので、組付作業において空気が混入しやすい、指示軸近傍の空気を効果的に開口孔から逃がすことができるという効果がある。しかしながら、開口孔の位置は指示軸近傍であり、指示軸より離れた位置に混入した空気を除去することは困難である。指示軸より離れた位置、すなわち、磁石の外周部の位置に接するダンパオイルは、トルク半径が大きいため粘性によるトルクが大きくかかるところであり、指針の回転に与える影響も大きく、指針の精度を低下させるおそれがある。したがって、磁石の外周部の位置に接するダンパオイルに混入した空気を、除去することが希求されていた。
【０００７】
本発明は、上述の事情に鑑みてなされたもので、ダンパオイルに混入した空気を除去し、指針の精度を向上させることを目的とする。
【課題を解決するための手段】
【０００８】
上記目的を達成するため、本発明に係る可動磁石式計器は、
円柱状の磁石と、
前記磁石に同軸に取り付けられ、前記磁石の両端面から突出する回転軸と、
前記磁石の一方の端面から突出する前記回転軸に取り付けられる指針と、
前記磁石を収容する空間を有し、当該空間に収容された前記磁石の他方の端面と対向する底面と、当該底面に設けられ前記回転軸を支持する支持部と、を備えるハウジングと、
前記ハウジングに巻回され、磁束を発生して前記磁石とともに前記回転軸を回転させるコイルと、
前記ハウジングの底面と、当該底面と対向する前記磁石の他方の端面との間に介在するダンパオイルと、を備え、
前記ハウジングの底面及び前記磁石の他方の端面の少なくともいずれか一方には、前記回転軸の近傍から、当該回転軸から離れる方向に向けて、前記磁石の径方向から見た断面積が小さくなる溝が形成されている、
ことを特徴とする。
【発明の効果】
【０００９】
本発明によれば、ダンパオイルに混入した空気を除去し、指針の精度を向上させることができる。
【図面の簡単な説明】
【００１０】
【図１】本発明の実施の形態１に係る可動磁石式計器の要部を示す側断面図である。
【図２】可動磁石式計器の上部カバー、磁石を取り外し、下部ハウジングの底面に形成された溝を示す上面図である。
【図３】溝が形成された場合と、形成されなかった場合の粘性抵抗の相違を示す図である。
【図４】溝の変形例を示す上面図である。
【図５】溝の他の変形例を示す上面図である。
【図６】溝の他の変形例を示す模式的な側断面図である。
【図７】本発明の実施の形態２に係る可動磁石式計器の要部を示す側断面図である。
【発明を実施するための形態】
【００１１】
以下、本発明の一実施の形態に係る可動磁石式計器について、図面を参照しながら説明する。全図を通じて、以下に示す図において、同一の要素には同一の符号を付す。水平方向に左右、鉛直方向に上下を用いて説明するが、これらの方向は説明のために用いるのであって、本発明を限定する趣旨ではない。
【００１２】
（実施の形態１）
本発明の実施の形態１に係る可動磁石式計器１は、図１、２に示すように、ハウジング１０と、ハウジング１０内に収容された磁石２０と、磁石２０を貫通する回転軸３０と、ハウジング１０の底部に充填されたダンパオイル４０と、ハウジング１０の外周に巻回されたコイル５０と、コイル５０が巻回されたハウジング１０を収容するシールドケース６０と、ハウジング１０の上部に取り付けられる端子７０と、端子７０の上端部を覆う導電板８０と、を含む。
【００１３】
ハウジング１０は、磁石２０と、ダンパオイル４０とを収容する、樹脂性の収容部材である。ハウジング１０は、上部ハウジング１１と、下部ハウジング１２とからなり、上部ハウジング１１の下方に開口する第１の凹部１１ａと、下部ハウジング１２の上方に開口する第２の凹部１２ａを備える。ハウジング１０は、第１の凹部１１ａと、第２の凹部１２ａの各々の開口をあわせて形成される収容空間１３を備え、この収容空間１３に、磁石２０が収容される。
【００１４】
上部ハウジング１１は、第１の凹部１１ａが形成された側と反対側に、上方に開口する第３の凹部１１ｂを備える。また、上部ハウジング１１は、上方に突出し、貫通孔１１ｄを有する突起部１１ｃを備える。突起部１１ｃの当該貫通孔１１ｄに回転軸３０が挿入されることで、回転軸３０は、その動きを規制される。
【００１５】
下部ハウジング１２は、第２の凹部１２ａが形成された側と反対側に、下方に開口する第４の凹部１２ｂを備える。
【００１６】
第２の凹部１２ａの底面１２ｃの中央付近には、回転軸３０を支持する支持部１４が形成されている。支持部１４は、回転軸３０をスラスト方向に支持する軸受であり、玉軸受など種々の軸受が適用される。また、支持部１４が設けられた底面１２ｃの周囲は、窪部１２ｄが設けられ、ダンパオイル４０に混入した気泡を収集する。
【００１７】
下部ハウジング１２の第２の凹部１２ａの底面１２ｃには、図１に示すように、溝１５が形成される。溝１５は、回転軸３０を支持する支持部１４の近傍から、支持部１４から離れる方向、例えば、支持部１４の近傍から第２の凹部１２ａの周方向に向けて形成される。溝１５は、支持部１４から離れる方向に、前記磁石の径方向から見た断面積が小さくなるように形成される。溝１５は、支持部１４の近傍から形成されればよく、支持部１４の位置から開始される必要はない。また、溝１５は、支持部１４の近傍から離れる方向に形成されればよく、第２の凹部１２ａの底面１２ｃの外周端まで形成されなくてもよく、底面１２ｃの途中で終了していてもよい。
【００１８】
溝１５は、下部ハウジング１２の第２の凹部１２ａの底面１２ｃに、支持部１４を中心として放射状に４本形成されている。各溝１５は、支持部１４から底面１２ｃの周方向に向けて、深さは同一であるが、前記磁石の周方向に沿う幅が徐々に狭くなるように形成されている。このような形状に形成することで、溝１５は、支持部１４から離れるにしたがって断面積が小さくなる。
【００１９】
各溝１５は、支持部１４から底面１２ｃの周方向に向けて、幅が徐々に狭く形成されているので、磁石２０と、底面１２ｃとの間に充填されたダンパオイル４０に対して、毛細管現象を引き起こす。したがって、溝１５と接するあるいは溝１５近傍のダンパオイル４０は、より幅の狭い溝１５が形成された底面１２ｃの周方向に向けて、毛細管現象により移動する。一方、溝１５と接するあるいは溝１５近傍のダンパオイル４０に混入された気泡は、ダンパオイル４０とは逆に、溝１５の幅の広い方に位置する支持部１４に向けて移動する。したがって、底面１２ｃの周縁部に位置していたダンパオイル４０内の気泡は、中央の支持部１４に向けて移動する。
【００２０】
このように、粘性へ影響が大きい底面１２ｃの周縁部に位置しているダンパオイル４０内の気泡は、底面１２ｃの外周全体から中央の支持部１４に向けて移動する。したがって、粘性への影響が大きい底面１２ｃの周縁部に位置しているダンパオイル４０内の気泡は減少し、ダンパオイル４０の粘性が強化されることで、磁石２０は良好に回転する。
【００２１】
磁石２０は、例えば、永久磁石であり、円柱状に形成されている。磁石２０は、回転軸３０と同軸に形成され、回転軸３０に固定される。
【００２２】
回転軸３０は、一端部が磁石２０の上面２０ａから突出し、他端部が磁石２０の下面２０ｂから突出する。回転軸３０の一端部には、指針３１が取り付けられ、回転軸３０が回転することで、指針３１が、計器板（図示せず）上の数字を指示する。回転軸３０の他端部は、支持部１４により支持される。
【００２３】
ダンパオイル４０は、磁石２０の下面２０ｂと、下部ハウジング１２の第２の凹部１２ａの底面１２ｃとの間に充填される。ダンパオイル４０は、例えばシリコンオイル等の粘性の高いオイルであり、高い粘性により、磁石２０の回転を規制して、指針３１がオーバーシュートしないように機能する。また、ダンパオイル４０は、磁石２０の下面２０ｂのみならず、磁石２０の側部まで充填されることにより、ダンパ作用を強化することができる。
【００２４】
コイル５０は、第１のコイル５１と、第２のコイル５２とからなる交差コイルである。第１のコイル５１は、上部ハウジング１１の第３の凹部１１ｂと、下部ハウジング１２の第４の凹部１２ｂに渡って、上下方向に巻回される。第２のコイル５２は、ハウジング１０の外周を、回転軸３０からみて、第１のコイル５１と交差するように巻回される。第１のコイル５１と第２のコイル５２に、指示値に対応する電流を通電することで磁力を発生させ、磁石２０を回転させて、指針３１を回転させる。
【００２５】
シールドケース６０は、コイル５０が巻回されたハウジング１０を収容する。シールドケース６０は、金属製材料により形成され、外部の磁気の影響を遮断する。
【００２６】
端子７０は、上部ハウジング１１の上部に取り付けられ、ビス（図示せず）を貫通させる孔７０ａを有する。電流源（図示せず）からの電流は、孔７０ａに挿入されたビス、端子７０を介して導電板８０に流れる。
【００２７】
導電板８０は、端子７０の上端部を被覆する導電性の板状部材であり、例えば、真鍮に錫をメッキをした部材が使用される。導電板８０は、端子７０の孔７０ａと対応する孔８０ａを有する。当該孔７０ａと、孔８０ａを合わせて、上方からビスが挿入される。また、導電板８０の一端部と、コイル５０から引き出された導線とは、半田等で接続されている。したがって、電流源からの電流は、ビス、端子７０、導電板８０を経由し、コイル５０へ流れる。
【００２８】
このような構成を備える可動磁石式計器において、速度検出器等から出力される信号に応じた電流を発生させる電流源からコイル５０に通電され、コイル５０から発生する磁力により磁石２０が回転する。磁石２０は、通電量に応じて回転軸３０を中心に回転し、回転軸３０の回転により指針３１も回転する。
【００２９】
溝１５は、支持部１４から離れる方向に断面積が小さくなるように形成されているので、毛細管現象により、ダンパオイル４０は、溝１５の断面積の大きい位置から断面積の小さい位置、すなわち、支持部１４から離れる位置に向けて移動する。一方、ダンパオイル４０に混入した気泡は、溝１５の断面積の小さい位置から断面積の大きい位置、すなわち支持部１４に向けて移動する。したがって、溝１５は、支持部１４から離れた位置に混入した気泡を移動させることで、ダンパオイル４０の粘性を強化し、指針を安定して回転させることができる。
【００３０】
本実施の形態の可動磁石式計器は、溝が形成されていない従来の可動磁石式計器と比較して、粘性抵抗に与える影響が小さいことが、シミュレーションによっても検証されている。
【００３１】
シミュレーションは、底面積の２０％に０．５mmの溝を入れた場合と、入れない場合を検証条件として行った。溝に気泡が混入したか否かに基づく粘性抵抗をシミュレーションした結果を図３に示す。
【００３２】
図３に示すように、下部ハウジングの底面に溝が形成されていない従来の可動磁石式計器では、ダンパオイルに気泡が混入していない場合と、底面積の５０％に気泡が混入した場合との間の、粘性抵抗の変化量は７．８２％である。これに対して、下部ハウジングの底面に溝が形成された本実施の形態の可動磁石式計器では、ダンパオイルに気泡が混入していない場合と、底面積の５０％に気泡が混入した場合との間の、粘性抵抗の変化量は５．６０％である。このように、本実施の形態の可動磁石式計器１では、溝１５が形成されたことにより、粘性抵抗に与える悪影響が軽減されていることがわかる。
【００３３】
なお、溝１５の形状は、支持部１４の近傍から、支持部１４から離れる方向に向けて、断面積が小さくなるように形成されればよく、各種の変形が可能である。以下、本実施の形態の変形例を説明する。
【００３４】
（変形例１）
実施の形態１では、溝１５は、下部ハウジング１２の第２の凹部１２ａの底面１２ｃに、支持部１４を中心として放射状に４本形成されていたが、本発明の溝１５の本数はこれに限定されない。すなわち、溝１５の本数は、少なくとも１本あればよく、底面１２ｃの底面積や、可動磁石式計器１の用途に応じて、複数本設けることが可能である。
【００３５】
変形例１を、図４を用いて説明する。図４に示すように、溝１６は、下部ハウジング１２の第２の凹部１２ａの底面１２ｃに、支持部１４を中心として放射状に６本形成されている。各溝１６は、支持部１４から底面１２ｃの周方向に向けて、幅が徐々に狭くなるように形成されている。このような形状に形成することで、溝１６は、支持部１４から離れる方向に断面積が小さくなる。
【００３６】
本変形例１では、溝１６の数は６本であり、実施の形態１と相違して、多く形成されている。したがって、下部ハウジング１２の底面１２ｃの外周付近に位置するダンパオイル４０と接触する溝１６の数が多くなるので、外周付近に混入された気泡を効果的に支持部１４に向けて移動させることができる。
【００３７】
（変形例２）
実施の形態１では、溝１５の形状が、支持部１４から底面１２ｃの周方向に向けて、幅が徐々に狭くなるように形成されているが、本発明は、連続的に狭くなる溝に限定されない。すなわち、溝１５は、支持部１４から底面１２ｃの周方向に向けて、幅が段階的に狭くなるように形成されてもよい。
【００３８】
変形例２を、図５を用いて説明する。図５に示すように、溝１７は、下部ハウジング１２の第２の凹部１２ａの底面１２ｃに、支持部１４を中心として放射状に４本形成されている。各溝１７は、底面１２ｃの支持部１４に近い位置に形成された第１の溝１７ａと、第１の溝１７ａに続く支持部１４から遠ざかる方向に形成された第２の溝１７ｂと、から構成される。第１の溝１７ａの幅と、第２の溝１７ｂの幅とは、それぞれ一定の幅であり、第１の溝１７ａの幅は、第２の溝１７ｂの幅より広く形成されている。
【００３９】
本変形例２では、溝１７の底面１２ｃの周縁部分を、幅の狭い第２の溝１７ｂとして形成している。したがって、底面１２ｃの周縁部分の毛細管現象を強化することができ、底面１２ｃの周縁部分のダンパオイル４０に混入された気泡を積極的に移動させることができる。
【００４０】
なお、本変形例２では、溝１７は、周方向に向けて、１段階で溝１７の幅が変更されている。しかしながら、本発明の溝は、１段階の幅の変更に限定されず、２段階、３段階等、複数段階で狭くなるように形成してもよい。
【００４１】
（変形例３）
実施の形態１では、溝１５は、支持部１４から底面１２ｃの周方向に向けて、幅が狭くなるように形成されているが、本発明は、溝の幅を変更することに限定されない。すなわち、溝の深さを変更することで、溝の断面積を変更することも可能である。
【００４２】
変形例３を、図６を用いて説明する。図６に模式的に示すように、溝１８が、支持部１４の近傍から当該支持部１４から離れる方向に向けて、深さが浅くなるように形成されている。また、溝１８は、下部ハウジング１２の第２の凹部１２ａの底面１２ｃに形成され、支持部１４から底面１２ｃの周方向に向けて、幅は同一であるが、深さが徐々に浅くなるように形成されている。
【００４３】
変形例３において、溝１８は、支持部１４から底面１２ｃの周方向に向けて、深さが徐々に浅くなるように形成されているので、磁石２０と、底面１２ｃとの間に充填されたダンパオイル４０に対して、毛細管現象を引き起こす。したがって、溝１８と接するあるいは溝１８近傍のダンパオイル４０は、より深さの浅い底面１２ｃの周方向に向けて、毛細管現象により移動する。一方、溝１８と接するあるいは溝１８近傍のダンパオイル４０に含まれる気泡は、逆に、溝１８の深い方に位置する支持部１４に向けて移動する。したがって、底面１２ｃの周縁部に位置していたダンパオイル４０内の気泡は、中央の支持部１４に向けて移動する。
【００４４】
溝１８は、実施の形態１、変形例１、２に示すように、支持部１４近傍から、当該支持部１４から離れる方向に向けて放射状に形成されもよい。
【００４５】
本変形例３では、実施の形態１と比較して、溝１８の深さを変更することにより、支持部１４の近傍から、当該支持部１４から離れる方向に向けて断面積を小さくしている。したがって、実施の形態１と同様な効果を奏することができる。
【００４６】
実施の形態１は、下部ハウジング１２の第２の凹部１２ａの底面１２ｃに溝が形成された形態であるが、本発明は、ハウジング１０側に溝が形成されることに限定されない。すなわち、磁石２０側に溝が形成されてもよい。磁石２０側に溝が形成される例を、実施の形態２で説明する。
【００４７】
（実施の形態２）
実施の形態２を、図７を用いて説明する。実施の形態２は、磁石２０の下面２０ｂに溝が形成された例であり、実施の形態１と同一の構成要素には同一の符号を付し、詳細な説明は省略する。
【００４８】
図７に示すように、溝１９は、磁石２０の下面２０ｂに形成される。溝１９は、磁石２０の下面２０ｂから突出する回転軸３０の近傍から、当該回転軸３０から離れる方向に向けて、前記磁石の径方向から見た断面積が小さくなるように形成されている。溝１９は、回転軸３０の近傍から形成されればよく、回転軸３０の位置から開始される必要はない。また、溝１９は、回転軸３０の近傍から離れる方向に形成されればよく、磁石２０の下面２０ｂの外周端まで形成されなくてもよく、下面２０ｂの外周端に向かう途中で終了していてもよい。
【００４９】
溝１９は、回転軸３０から離れる方向に断面積が小さくなるように形成されているので、毛細管現象により、ダンパオイル４０は、溝１９の断面積の大きい位置から断面積の小さい位置、すなわち、回転軸３０から離れる位置に向けて移動する。一方、ダンパオイル４０に混入された気泡は、溝１９の断面積の小さい位置から断面積の大きい位置、すなわち回転軸３０に向けて移動する。したがって、溝１９は、回転軸３０から離れた位置に混入した気泡を移動させ、指針を安定して回転させることができる。
【００５０】
一方、ダンパオイル４０に混入された気泡は、溝１９の断面積の小さい位置から断面積の大きい位置、すなわち回転軸３０に向けて移動する。したがって、回転軸３０から離れた位置に混入された気泡を移動して、指針を安定して回転させることができる。
【００５１】
溝１９は、磁石２０の下面２０ｂに、回転軸３０を中心として放射状に形成し、回転軸３０から下面２０ｂの周方向に向けて、断面積が狭くなるように、前記磁石の周方向に沿う幅が、徐々に広くなるように形成されてもよい。また、溝１９は、回転軸３０から下面２０ｂの周方向に向けて、深さが浅くなるように形成されてもよい。
【００５２】
このように、粘性へ影響が大きい磁石２０の下面２０ｂの周縁部に位置しているダンパオイル４０内の気泡が、中央の回転軸３０に向けて移動することで、回転軸３０により回転する指針の回動に悪影響を与えることを抑制することができる。
【００５３】
また、上述の実施の形態１、２においては、下部ハウジング１２の底面１２ｃに溝１５等を形成し、又は磁石２０の下面２０ｂに溝１８を形成したことを説明した。いずれの実施の形態においても、支持部１４及び回転軸３０の近傍に気泡が移動する効果を備える。本発明においては、移動した気泡を外部に排出するための孔を磁石２０に設けてもよい。
【００５４】
また、上述の実施の形態１、２においては、溝の深さを変更する場合には、溝の深さを段階的に、磁石２０またはハウジング１０の底面１２ｃの周方向に向けて浅くしてもよい。
【００５５】
また、上述の実施の形態１、２においては、溝は直線状であるが、曲線の溝としてもよい。
【００５６】
また、上述の実施の形態１、２においては、溝は、支持部１４から離れる方向に向けて、幅を狭くするか、又は、深さを浅くすることによって、断面積を小さくしていた。しかしながら、本発明は、このような形態に限定されず、支持部１４から離れる方向に向けて、幅を狭くし、かつ、深さを浅くして、断面積を小さくすることもできる。
【００５７】
また、上述の実施の形態１、２においては、溝は、ハウジング１０の底面１２ｃ及び磁石２０のどちらか一方に設けられた例を説明したが、双方に溝が設けられてもよい。
【００５８】
上述した実施形態は、本発明を説明するためのものであり、本発明の範囲を限定するものではない。つまり、本発明の範囲は、実施形態ではなく、請求の範囲によって示される。そして、請求の範囲及びそれと同等の発明の意義の範囲内で施される様々な変形が、本発明の範囲とみなされる。
【符号の説明】
【００５９】
１  可動磁石式計器    
１０  ハウジング
１１  上部ハウジング
１１ａ  第１の凹部
１１ｂ  第３の凹部
１１ｃ  突起部
１１ｄ  貫通孔
１２  下部ハウジング
１２ａ  第２の凹部
１２ｂ  第４の凹部
１２ｃ  底面
１２ｄ  窪部
１３  収容空間
１４  支持部
１５〜１９  溝
１７ａ  第１の溝
１７ｂ  第２の溝
２０  磁石
２０ａ  上面
２０ｂ  下面
３０  回転軸
３１  指針
４０  ダンパオイル
５０  コイル
５１  第１のコイル
５２  第２のコイル
６０  シールドケース
７０   端子
７０ａ  孔
８０  導電板
８０ａ  孔
【図１】
2017044632.tif 000003
【図２】
2017044632.tif 000004
【図３】
2017044632.tif 000005
【図４】
2017044632.tif 000006
【図５】
2017044632.tif 000007
【図６】
2017044632.tif 000008
【図７】
2017044632.tif 000009